(57)【特許請求の範囲】
【請求項１】
一枚又は複数枚のフィルムを融着してなるガゼット形状のバッグインボックス用内袋であって、少なくとも一か所の隅部又は隅部近傍において頂部融着部との間に側面フィルム同士の未融着部を形成するように前面と後面フィルムが側面フィルムを介して又は介することなく融着し、且つ該未融着部の一部または全部のフィルムが除去されてなる切り欠き部を有しており、内袋の側部より手を入れたとき前記未融着部より指が前記内袋の外部へ抜けるように構成してなる把持部を有することを特徴とするバッグインボックス用内袋。
【請求項２】
上記把持部は上辺及び／又は下辺の頂部融着部の両側に設けられていることを特徴とする請求項１記載のバッグインボックス用内袋。
【請求項３】
前記バッグインボックス用内袋は融着部にて区切られた三角形状のフィン部を有すると共に、前記把持部は、前記フィン部に設けられていることを特徴とする請求項１又は２記載のバッグインボックス用内袋。
【請求項４】
前記バッグインボックス用内袋の下部の三角形状のフィン部を除去したことを特徴とする請求項３記載のバッグインボックス用内袋。
【請求項５】
側面フィルムが、熱融着され難い樹脂層が表層となるように積層された積層体であって前記把持部が側面フィルムを介することなく融着されてなることを特徴とする請求項１〜４のいずれかに記載のバッグインボックス用内袋。
【発明の詳細な説明】
【０００１】
【発明が属する技術分野】
本発明は、流体を充填、保管、輸送することを目的とする合成樹脂製フィルムを融着して袋状にした内袋と段ボ−ル等の外箱からなる、一般にバッグインボックスと呼ばれる流体容器の内袋に関し、内容物を充填した内袋自体を持ちやすくした把手付きバッグインボックス用内袋に関する。
【０００２】
【従来技術】
従来より、液体や粉体等の流体を充填、保管、輸送することを目的とする合成樹脂製のフィルムを融着して袋状にした内袋と段ボール等の外箱からなる容器は、一般にバッグインボックスと呼ばれ、５ｌから２０ｌ程度の容積を有するものが食品や薬品用容器として広く使用されている。これらの容器は主に業務用として使用され、食品や薬品の原料容器や小分け用の大型容器として使用されている。
【０００３】
最近、食品や薬品の製造現場の衛生管理の徹底から、充填されている内袋のみを外箱から取り出して製造現場に持ち込み、外箱による現場の汚染を防ぐ必要がある場合が多くなってきている。充填された内袋を持ち上げて外箱より取り出したり、或いは内袋のみで持ち運んだりたりする場合、これらの取り扱を容易にするため、図１１に示すような把手となる部分があるバッグインボックスの内袋が実開平２−８７６３号公報に示されている。即ち、ガゼット形状の内袋の上部融着部を形成すると同時に内袋の隅部において前面フィルムと後面フィルムが一体となるように融着部を形成し、該融着部を把持するのである。しかし、隅部の融着部形成に際し、この発明では上辺全体が一直線状に融着されるため指が抜ける隙間がないので指先に負担がかかるという問題があった。
また、充填時においても、内袋のみで充填した後に外箱にセットする場合があるが、その際充填済の内袋を取り扱うのに上記と同様な問題があった。
【０００４】
【発明が解決しようとする問題点】
この発明は上記のような問題点を解決するためになされたもので、充填済の内袋を外箱無しで取り扱うに際して取り扱い性及び利便性を向上したバッグインボックス用内袋を提供することを目的とする.
【０００５】
【問題を解決するための手段】
本発明は、一枚又は複数枚のフィルムを融着してなるガゼット形状のバッグインボックス用内袋であって、少なくとも一か所の隅部又は隅部近傍において頂部融着部との間に側面フィルム同士の未融着部を形成するように前面と後面フィルムが側面フィルムを介して又は介することなく融着し、且つ該未融着部の一部または全部のフィルムが除去されてなる切り欠き部を有しており、内袋の側部より手を入れたとき前記未融着部より指が前記内袋の外部へ抜けるように構成してなる把持部を有することを特徴とするバッグインボックス用内袋である。そして、この融着部を把持部とするのであるが、把持部は取扱性及び利便性のより一層の向上のため上辺及び／又は下辺の頂部融着部の両側に設けられていることが好ましい。また、上辺及び／又は下辺の頂部融着部の端より側縁部の任意の位置に帯状の融着部を設け、三角形状に区切られたフィン部を設け、把持部を三角形状のフィン部に設けても良い。
また、下辺部の三角形状のフィン部は除去しても良く、除去することによって外箱無しで取扱う際の自立性を増す。更に、バッグインボックス用内袋を構成しているフィルムは、未延伸ナイロンやポリエステル、ポリアミドなどの二軸延伸フィルムがラミネ−トされたフィルムが袋として機械的強度が高くなるので好ましく用いられるが、反面腰も強くなるので本発明が好適に採用される。
【０００６】
【発明の実施の形態】
以下、本発明について詳細に述べる。
ガゼット形状のバッグインボックス用内袋は、ガゼット部において両側縁部から内方に折り込んだ側面フィルムが前面フィルムと後面フィルムとの間に挿入されている。上辺または下辺融着部としては、前面フィルムと後面フィルムとが相対している部分は前面フィルムと後面フィルムとが融着している部分（なお、この融着部を頂部融着部という）と、それより外側の前面フィルムと側面フィルムまたは後面フィルムと側面フィルムとが融着している部分とよりなる。通常、ガゼット形状の内袋を構成しているフィルムの表面及び裏面が融着性フィルムである場合が多く、側面フィルムの折込部分同士は上辺又は下辺の融着部を形成する際、同時に一直線状に連続して融着される。
本発明のガゼット形状のバッグインボックスの内袋は、上記のような前面のフィルムと後面のフィルムとの間に内側に折り込んだ側面フィルムを挿入し、その周囲を融着し側部に襞を有するガゼット形状の袋であるが、このように前面のフィルム、後面のフィルム及び側面フィルムを用いる代わりに筒状のフィルムを使用し、その両サイドを内側に折り込み、側部の融着部を省略して上端部及び下端部を融着しても良い。
【０００７】
本発明ではこのようなガゼット形状の内袋において、少なくとも一か所の隅部又は隅部近傍において頂部融着部との間に未融着部を形成するように前面と後面フィルムが融着されており、内袋の側部より手を差し込んだ時に前面フィルムと後面フィルムとの融着部が外部に指が抜ける様に構成されているので指先に負担をかけることなく把持することが出来る。そして、この前面フィルムと後面フィルムとの融着部よりなる把持部を頂部融着部の両側に設けることによって両手で把持することが出来るので好ましい。
しかして、本発明は上述のように、少なくとも一か所の隅部又は隅部近傍において頂部融着部との間に未融着部を形成するように前面と後面フィルムを融着して把持部を設けることにより内袋の取扱性を向上させることができるが、内容品が例えば１０ｌを越えるような場合、フィルムも強度の高いものが採用され、腰も強くなるので充填された内袋を把持部を持って持ち上げると、未融着部分のフィルムが内方に付勢され、指が挟まれてフィルムが指に食い込んでしまう場合がある。この指への負担を軽減するため、本発明では、例えば、上辺若しくは下辺に未融着部を設け、その未融着部の一部に切り欠き部を設ける。この切り欠き部を通して指が抜け上部又は下部に設けた把持部を把持することが出来るようにする。これによってこの内袋を外箱より取り出したり、持ち運んだり或いは内容物を排出させたりすることが極めて容易に行うことが出来る。また、同様に内容物を充填した内袋を外箱内に入れることも容易に行える。なお、切り欠き部によって上辺又は下辺に孔が出来るので、この切り欠き部を、以後把手孔ということがある。また、把手孔の周囲には未融着部が残っても残らなくてもよい。未融着部を残さない場合は、辺全体を融着した後孔を形成して把手孔としても良い。
【０００８】
本発明において、切欠き部を設けたことによる内容品の漏出を防止する意味において、上辺及び／又は下辺の頂部融着部の端より側縁部の任意の位置に帯状の融着部を設け、三角形状に区切られたフィン部を設けてもよい。この場合フィン部の一部又は全部を融着しても良い。そして、把持部は三角形状のフィン部に設けることによって内容物の排出に際し、隅部に残留することがなく、また、充填済バッグインボックスを輸送する際側面フィルムの保護の役目を果たすので好ましい。更に、下辺部の三角形状のフィン部を除去することによって外箱より内袋を取り出して扱う際に自立安定性が改良され、外箱に収納するとき、容易に外箱内に収納することが出来る。
【０００９】
この内袋を形成するフィルムはポリエチレンやポリプロピレン等のポリオレフィンフィルム単独で用いられることが多いが、内容品によっては耐熱性、ピンホ−ル強度、酸素バリヤ性などの要求があり、これらの要求に従ってラミネートフィルム、共押出フィルムなどの積層体が使用される。ラミネートフィルムとしては、通常内層にポリエチレンやポリプロピレン（ＣＰＰ）等のポリオレフィン系の熱接着性を有する樹脂層からなるラミネートフィルムであって、二軸延伸ポリエステル、二軸延伸ポリアミド、二軸延伸ポリプロピレン等の比較的機械強度のあるフィルムを基材とし、これらの基材に更に必要性能を付加するために、例えば酸素バリヤ性を必要とする場合にはシリカ蒸着フィルムやエチレン・ビニルアルコール共重合体（ＥＶＯＨ）を、遮光性を必要とする場合にはアルミ箔、アルミ蒸着フィルム等を積層し、共押出しフィルムとしては、オレフィン系樹脂とポリアミド樹脂やＥＶＯＨなどの樹脂層が積層された多層フィルムがその用途によって適宜選定される。特に、袋の強度を高めるためには、ポリアミド樹脂層や二軸延伸フィルムを含む積層体を用る。これら積層体を単独で、又は適宜組み合わせたものを２重以上にして内袋を形成すると袋の腰が強くなるので、未融着部に切欠き分を設けることにより効果的に指への負担を低減することが出来るので本発明の対象として好適である。
【００１０】
側面フィルムとしてポリエチレンやポリプロピレン等の熱接着性樹脂層を両面に有する単体又は共押出フィルムのみを用いた場合、隅部で前面フィルムと後面フィルムとを側面フィルムを介して融着することが出来る。側面フィルムとしてポリアミド樹脂層や二軸延伸フィルムなどの熱融着され難い樹脂層が表面に積層された積層体を使用する場合、隅部で前面フィルムと後面フィルムを融着するため側面フィルムの一部を円形または楕円形等の形状に切り欠き（パンチ孔）表面フィルムの裏面と後面フィルムの裏面とを側面フィルムを介することなく融着させる。パンチ孔は強度の向上の為複数設けられることが好ましく、パンチ孔同士の間隔を広くして指が入るようにして未融着部としてもよく、その未融着部のフィルムを切り欠いても良い。
【００１１】
【実施例】
以下、本発明の実施例について図面を参照して説明するがこれに限定されるものではない。
図１は、隅部又は隅部近傍において頂部融着部との間に未融着部を有するバッグインボックス用内袋を、折り畳んだ状態の平面図を示すものである。図１において、１は未融着部、３は上辺の頂部融着部、４は下辺の頂部融着部、５は側縁融着部、７、７’は側面フィルムの折込線、９は注出口、１１は側面フィルム、１２は前面フィルムである。このようなバッグインボックス用内袋に於いて側部より手を差し込むと指先は未融着部１より抜けて隅部融着部を把持することが出来る。下辺の融着についても同様に未融着部を設けて融着しても良い。
図２は本発明の実施例のバッグインボックス用内袋を折り畳んだ状態の平面図である。図２において２は切欠き部、８は斜め融着部である。図１のバッグインボックス用内袋の未融着部より指先を出して内袋を把持した場合、未融着部分フィルムが指に食い込む場合があるので、指への負担を軽減するために切欠き部（把手孔）２を設けた場合である。そして、切欠き部（把手孔）２より内容品の漏出を防止するため頂部融着部の端部よりそれぞれの側縁融着部へ斜めに融着部８を設けるのである。このように切欠き部（把手孔）２を設けることによって上辺融着部を何らの負担なく容易に、且つ、確実に把持することが出来る。
【００１２】
図３は、本発明の他の実施例の平面図であって、斜め融着部８を下部についても設けた場合である。下部に斜め融着部８を設けることによって、内袋の内容物を排出する際、残液を少なくすることが出来、また、充填済バッグインボックス内袋を輸送する際、側面フィルムの擦れによる損傷を防止する。
図４は下辺融着部に斜め融着部を設けることによって形成された三角形状のフィン部を切り離したバッグインボックス内袋の平面図であり、三角形状のフィン部を切り離すことによって、袋内に内容物を充填したとき自立性が向上する。
図５は、図４のバッグインボックス内袋に内容品を充填した場合の斜視図である。図５において、上部融着側の両側のフィルムが前後に広がる事によりその下から把手孔に指を挿入して充填済の内袋を容易に持ち上げることができる。把手孔が開けられていないと２０ｌ等の大容量の内袋を掴んで持ち上げるのは指先に負担がかかり容易でない。
【００１３】
側面フィルムとして、表面にポリアミド層や二軸延伸フィルムのような熱融着し難い樹脂層が積層された積層体が使用されている場合、側面フィルムにパンチ孔を設け、前面フィルムと後面フィルムとを側面フィルムを介することなく融着する。図６は側面フィルムとして表面に熱融着し難い樹脂層が積層された積層体を用いたバッグインボックス内袋の平面図であって、図６において、側面フィルムの隅部にパンチ孔６を設け、これによって前面フィルムと後面フィルムとが隅部で側面フィルムを介することなく一体化され、頂部融着部と隅部融着部の間に切欠き部２を設け把手の機能を持たせることができる。
図７及び図８は本発明の他の実施態様を示す平面図である。これらはいずれも袋本体部分の側部融着を省略した場合であって、このような袋は、例えばインフレチュ−ブや背貼りシ−ルで成形された筒状のフィルムの両側部を内襞が生じるように内側に折り込み、上部及び下部を融着した場合である。図７はこのような側部融着を省略した袋の上部の三角形状のフィン部に把手孔を設けると共に、その下部の三角形状のフィン部に把手孔を設けた場合である。図８はこのような側部融着を省略した袋において、上部隅部近傍にパンチ孔６及び上部三角形状のフィン部に把手孔を設けると共に、下部の三角形状のフィン部を切り取った場合である。
更に、図９及び図１０は本発明の他の実施態様を示す部分図である。図９は隅部と頂部融着部の端の近傍にパンチ孔６を設けた場合であり、図１０は図９の２つのパンチ孔６の間に切り欠き部２を設けた場合である。図９においてパンチ孔の間は未融着であるので、この部分より指を出して把持することが出来るが、図１０の様にその間に切欠き部２を設けることによって、より一層容易に把持することが出来る。
【００１４】
【発明の効果】
以上述べたように、本発明によれば充填済みのバッグインボックス用内袋を外箱無しで取り扱うに際し、上辺又は／及び下辺に未融着部や切り欠き部を設けることによって隅部の融着部が把手部として構成され、その結果、充填済み内袋を外箱無しで持ち上げたり、運んだり、或いは内容物を抽出したりする際、作業が非常に容易に出来、取り扱い性、利便性等に優れた効果を示す。
【図面の簡単な説明】
【図１】バッグインボックス内袋の平面図
【図２】本発明のバッグインボックス内袋の平面図
【図３】本発明のバッグインボックス内袋の他の実施態様で、下部に三角形状フィン部を設けたバッグインボックス内袋の平面図
【図４】本発明のバッグインボックス用内袋の他の実施態様で、図３の下部の三角形状フィン部を切除した内袋の平面図
【図５】図４のバッグインボックス用内袋に液体を充填した場合の斜視図
【図６】本発明のバッグインボックス用内袋の他の実施態様で、内袋の隅部にパンチ孔を設けた内袋の平面図
【図７】本発明のバッグインボックス用内袋の他の実施態様で、側部融着部を省略した内袋の平面図の平面図
【図８】本発明の側部融着部を省略したバッグインボックス内袋の他の実施態様の内袋の平面図
【図９】本発明のバッグインボックス用内袋の他の実施態様で、内袋の隅部及び頂部融着部近傍にパンチ孔を設けた内袋の部分平面図
【図１０】本発明のバッグインボックス用内袋の他の実施態様で、内袋の隅部及び頂部融着部近傍にパンチ孔を設けると共に切欠き部を設けた内袋の部分平面図
【図１１】従来の把手となる部分があるバッグインボックス内袋
【符号の説明】
１……未融着部    ２……切り欠き部（把手孔）    ３……上辺の頂部融着部
４……下辺の頂部融着部    ５……側縁融着部    ６……パンチ孔
７……側面フィルムの折込線    ８……斜め融着部    ９……注出口
１０……下部切り欠き部（下部把手孔）    １１……側面フィルム
１２……前面フィルム    １３……後面フィルム
【図１】
0004564621.tif 000002
【図２】
0004564621.tif 000003
【図３】
0004564621.tif 000004
【図４】
0004564621.tif 000005
【図５】
0004564621.tif 000006
【図６】
0004564621.tif 000007
【図７】
0004564621.tif 000008
【図８】
0004564621.tif 000009
【図９】
0004564621.tif 000010
【図１０】
0004564621.tif 000011
【図１１】
0004564621.tif 000012